(57)【要約】      （修正有）【課題】ゴルフボールを拾うと共に、拾ったゴルフボールを送り出すことが容易であり、構造が簡単なゴルフボール拾い器を提供する。【解決手段】両端に互いに連通した前端口２及び後端口３を有する長筒１と、長筒１の前端口２に設置した単方向誘導装置と、長筒１の後端部に設けたハンドル４とを備え、単方向誘導装置は、前端口２を通してゴルフボールを長筒１内に誘導すると共に、ゴルフボールが前端口２から脱出するのを規制する。【選択図】図１
0003142685.tif 000002
【実用新案登録請求の範囲】
【請求項１】
両端に互いに連通した前端口及び後端口を有する長筒と、該長筒の前端口に設置した単方向誘導装置と、前記長筒の後端部に設けたハンドルとを備え、前記単方向誘導装置は、前記前端口を通してゴルフボールを前記長筒内に誘導すると共に、ゴルフボールが前記前端口から脱出するのを規制するものであることを特徴とするゴルフボール拾い器。
【請求項２】
前記長筒の外面一側に連結棒を設け、該連結棒の前端部を前記長筒の前端部に枢着し、前記連結棒の後端に前記ハンドルを取り付け、前記長筒の後端部に、前記連結棒を長筒に沿った状態で支持する挟持部を設けた請求項１に記載のゴルフボール拾い器。
【請求項３】
前記挟持部は対向する２枚の弾性部材から成る請求項２に記載のゴルフボール拾い器。
【請求項４】
前記連結棒の前端部に前記長筒を挟む２枚の対向した取付片を設け、各取付片に形成した連結孔を介して前記連結棒と長筒とを枢着してある請求項２又は３に記載のゴルフボール拾い器。
【請求項５】
前記連結棒の後端部を折り曲げてカバー片を形成し、前記連結棒を挟持部で支持した時、前記カバー片が前記長筒の後端口を塞ぐ位置に配置される請求項２〜４のいずれかに記載のゴルフボール拾い器。
【請求項６】
前記単方向誘導装置が、前記長筒の前端から前方内向きに突出した複数の弾性片から成る請求項１〜５のいずれかに記載のゴルフボール拾い器。
【請求項７】
前記単方向誘導装置が、前記長筒の前端部内面に周方向に沿って形成された弾性突条より成り、該弾性突条は先端が前記長筒の後端に向くよう傾斜している請求項１〜５のいずれかに記載のゴルフボール拾い器。
【請求項８】
前記単方向誘導装置が、前記長筒の前端から内側へ直角に張り出すと共に、後方へ揺動可能な揺動片から成り、該揺動片は前方へ向かって付勢されている請求項１〜５のいずれかに記載のゴルフボール拾い器。
【考案の詳細な説明】
【技術分野】
【０００１】
本考案は、ゴルフボール拾い器に関する。
【背景技術】
【０００２】
ゴルフ練習の時、特に一人でゴルフを練習するときは、地面に落ちたゴルフボールを１つずつ拾わなければならないので、立ったり座ったりの作業が非常に面倒であった。
そこで、従来、立ったままゴルフボールを拾うことができるゴルフボール拾い器が開発されている。
例えば、特許文献１のゴルフボール拾い器は、収集袋内に送球管と導球板とを設置して成る。導球板は送球管の外側に螺旋状に設けられ、その下端に摺動板が設置される。摺動板はトレイ盤上に設けられ、トレイ盤の下端に輸送管が延伸して設けられる。輸送管には出球口が形成され、出球口に開閉可能な蓋体が設けられている。そして、収集袋内にゴルフボールを拾い上げ、摺動板を押し動かして輸送管の出球口からゴルフボールを送り出すようになっている。
【０００３】
また、特許文献２には、送球管の一端にフレームを設け、フレームの先端に底盤を嵌め込み、ハンドルを取り付けてボール収集袋をその間に挟持させたゴルフボール拾い器が開示されている。このゴルフボール拾い器は、ボールが送球管に入った後、フレームの開いた部分からボール収集袋内に落ちるようになっている。
しかし、これら従来のゴルフボール拾い器は、ゴルフボールを一方向に移動させて拾い上げたり、送り出すものではなく、構造が複雑で使い難かった。
【０００４】
【特許文献１】中国特許ＺＬ９４２１４４０６．６号明細書
【特許文献２】中国特許ＺＬ９８２０２７８０．Ｘ号明細書
【考案の開示】
【考案が解決しようとする課題】
【０００５】
本考案が解決しようとする課題は、ゴルフボールを拾うと共に、拾ったゴルフボールを送り出すことが容易であり、構造が簡単なゴルフボール拾い器を提供することにある。
【課題を解決するための手段】
【０００６】
本考案のゴルフボール拾い器は、両端に互いに連通した前端口及び後端口を有する長筒と、該長筒の前端口に設置した単方向誘導装置と、前記長筒の後端部に設けたハンドルとを備え、前記単方向誘導装置は、前端口を通してゴルフボールを前記長筒内に誘導すると共に、ゴルフボールが前端口から脱出するのを規制するものである。
ハンドルを持って、長筒の前端口をゴルフボールに押付けると、ゴルフボールは単方向誘導装置に誘導されて長筒内に誘導されると共に、前端口からの落下が規制される。また、長筒を倒すことにより、その後端口から内部のゴルフボールが送り出される。
【０００７】
以下の構成を採用しても良い。
前記長筒の外面一側に連結棒を設け、該連結棒の前端部を前記長筒の前端部に枢着し、前記連結棒の後端に前記ハンドルを取り付け、前記長筒の後端部に、前記連結棒を長筒に沿った状態で支持する挟持部を設けた構成。
前記挟持部が対向する２枚の弾性部材から成る構成。
前記連結棒の前端部に前記長筒を挟む２枚の対向した取付片を設け、各取付片に形成した連結孔を介して前記連結棒と長筒とを枢着してある構成。
前記連結棒の後端部を折り曲げてカバー片を形成し、前記連結棒を挟持部で支持した時、前記カバー片が前記長筒の後端口を塞ぐ位置に配置される構成。
【０００８】
前記単方向誘導装置が、前記長筒の前端から前方内向きに突出した複数の弾性片から成る構成。
前記単方向誘導装置が、前記長筒の前端部内面に周方向に沿って形成された弾性突条より成り、該弾性突条は先端が前記長筒の後端に向くよう傾斜している構成。
前記単方向誘導装置が、前記長筒の前端から内側へ直角に張り出すと共に、後方へ揺動可能な揺動片から成り、該揺動片は前方へ向かって付勢されている構成。
【考案の効果】
【０００９】
本考案によれば、長筒の前端をゴルフボールへ押付けるだけで簡単にゴルフボールを長筒内に拾い上げることができ、前端口からゴルフボールが落下することもなく、また、長筒を倒すことにより、長筒内のゴルフボールを容易に後端口から送り出すことができるので、一人でゴルフを練習する時に便利である。
拾い上げたゴルフボールを長筒の内部に収納し、重力を利用してゴルフボールを長筒の後端口から送り出すので、ゴルフボールを収納する装置や送り出す装置を別途設置する必要が無く、構造が簡単で価格も安価で済む。
【考案を実施するための最良の形態】
【００１０】
図１〜図７は、本考案の実施例１を示す。
ゴルフボール拾い器は、図１に示すように、両端に互いに連通した前端口２及び後端口３を有する長筒１と、長筒１の前端口２に設置した単方向誘導装置と、長筒１の後端部に設けたハンドル４とを備える。
長筒１の内径はゴルフボールの直径よりもやや大きい。また、長筒１の後端は、一側を切り欠いてあり、他側（切り欠いてない部分）の後端に内側へ屈曲した折り曲げ片１４を形成してある。
【００１１】
単方向誘導装置は、長筒１の前端口２から前方内向きに突出した複数の（本実施例では４枚の）弾性片１３より成る。
弾性片１３は周方向にほぼ等間隔で配置され、図２に示すように、その先端部分が内側に凸に湾曲している。そして、常態において、４枚の弾性片１３に内接する円の直径はゴルフボールの直径よりも小さくなっている。
図１に示すように、長筒１の外面一側には長筒１よりもやや短い連結棒５を取り付けてある。連結棒５の前端部には長筒１を挟む２枚の対向した取付片７を設け、取付片７に形成した連結孔を介して連結棒５が長筒１の前端部に枢着されている。そして、連結棒５は、枢着軸を中心として長筒１に沿った状態と略直交する状態との間を回動できるようになっている。
【００１２】
また、連結棒５の後端部には略直角に折り曲げてカバー片８を形成し、カバー片８の外面にハンドル４を取り付けてある。このカバー片８は、連結棒５を長筒１に沿った状態へ回動したとき、折り曲げ片１４の前側に挿入されて長筒１の後端口３を塞ぐ位置に配置される。また、この時、ハンドル４は、折り曲げ片１４の脇を通過して長筒１の後端部から後方に突出する。
なお、長筒１の一側後端部には、連結棒５を長筒１に沿った状態で支持する挟持部６が設置されている。挟持部６は、連結棒５を挟む２枚の対向した弾性部材から成る。
【００１３】
ゴルフボール１１を拾う時は、連結棒５を長筒１に沿った状態とし、ハンドル４を持って長筒１の前端をゴルフボール１１に押付ける（図２）。
すると、ゴルフボール１１が弾性片１３を押し開き、ゴルフボール１１は前端口２から長筒１の内部へ進入する（図３）。
ゴルフボール１１が弾性片１３で囲まれた最も狭い箇所を通過すると、弾性片１３は元の位置に復帰して前端口２を塞ぎ、ゴルフボール１１が前端口２から脱出するのを規制する（図４）。
これを繰り返すことにより、複数のゴルフボール１１が長筒１内に収納される。
【００１４】
長筒１内のゴルフボール１１を取り出すには、ハンドル４を持って連結棒５を回動させて、挟持部６の二つの弾性部材から離脱させ、図５に示すように、長筒１と略直交させる。この時、カバー片８は長筒１から遠ざかって後端口３が開放されるので、長筒１を倒して連結棒５を引き上げると、取付片７が長筒１の前端部を持ち上げ、後端口３が前端口２よりも低くなると、長筒１の内部のゴルフボール１１が順に後方へ転がって後端口３から脱出する。
図６に示すように、後端口３から脱出したゴルフボール１１は折り曲げ片１４にぶつかって停止するので、ゴルフクラブ１２を用いて切り欠かれている脇側から１つずつ取り出すことができる。
また、図７に示すように、長筒１を倒した状態で揺らすと、揺らした方向を変えることによってゴルフボール１１を任意の方向に送り出すことができる。
【００１５】
図８〜図１３は本考案の実施例２を示す。
本実施例では、図８に示すように、単方向誘導装置が長筒１の前端部内面に形成された弾性突条９より成る。
弾性突条９は、長筒１の周方向に沿って形成され、その先端が長筒１の後端に向くよう傾斜している。また、弾性突条９の常態における内径は、ゴルフボールの直径よりもやや小さくしてある。
【００１６】
図９及び図１１に示すように、長筒１の前端をゴルフボール１１に押付けると、図１２に示すように、ゴルフボール１１は弾性突条９を後方へ押圧して変形させながら次第に前端口２に進入する。
図１０及び図１３に示すように、ゴルフボール１１が弾性突条９を通過すると、弾性突条９は元の位置に復帰し、ゴルフボール１１が前端口２から脱出するのを規制する。
その他の構成及びゴルフボール１１を長筒１から取り出す方法は実施例１と同様である。
【００１７】
図１４〜図１６は、本考案の実施例３を示す。
単方向誘導装置は、長筒１の前端に取り付けられた揺動片１０から成る。揺動片１０は、長筒１の前端から内側へ向かって直角に張り出し、この位置から後方へは揺動可能であるが前方への揺動は規制されている。また、揺動片１０は、長筒１との間に介在されたバネによって前方へ付勢されている。
常態において、対向する揺動片１０の先端間の距離はゴルフボールの直径よりもやや小さくなっている。
【００１８】
図１４に示すように、長筒１の前端をゴルフボール１１に押付けると、図１５に示すように、ゴルフボール１１が揺動片１０を後方へ押し開きながら前端口２に進入する。
図１６に示すように、ゴルフボール１１が揺動片１０を通過すると、揺動片１０はバネの付勢力によって元に位置に戻り、ゴルフボール１１が前端口２から脱出するのを規制する。
その他の構成及びゴルフボール１１の取り出し方法は、実施例１及び２と変わるところは無い。
【図面の簡単な説明】
【００１９】
【図１】実施例１を示すゴルフボール拾い器の側面図。
【図２】実施例１においてゴルフボールが長筒に進入する前の状態を示すゴルフボール拾い器の要部断面図。
【図３】実施例１においてゴルフボールが長筒に進入する途中の状態を示すゴルフボール拾い器の要部断面図。
【図４】実施例１においてゴルフボールが長筒に進入した後の状態を示すゴルフボール拾い器の要部断面図。
【図５】実施例１において長筒を倒した状態におけるゴルフボール拾い器の側面図。
【図６】実施例１においてゴルフクラブでゴルフボールを取り出す動作を示すゴルフボール拾い器の側面図。
【図７】実施例１において長筒を揺らしてゴルフボールを取り出す動作を示すゴルフボール拾い器の側面図。
【図８】実施例２に係る長筒の前端部断面図。
【図９】実施例２においてゴルフボールが長筒に進入する前の状態を示すゴルフボール拾い器の要部断面図。
【図１０】実施例２においてゴルフボールが長筒に進入した後の状態を示すゴルフボール拾い器の要部断面図。
【図１１】図９の要部拡大図。
【図１２】実施例２においてゴルフボールが長筒に進入する途中の状態を示すゴルフボール拾い器の要部拡大断面図。
【図１３】図１０の要部拡大図。
【図１４】実施例３においてゴルフボールが長筒に進入する前の状態を示すゴルフボール拾い器の要部断面図。
【図１５】実施例３においてゴルフボールが長筒に進入する途中の状態を示すゴルフボール拾い器の要部断面図。
【図１６】実施例３においてゴルフボールが長筒に進入した後の状態を示すゴルフボール拾い器の要部断面図。
【符号の説明】
【００２０】
１  長筒
２  前端口
３  後端口
４  ハンドル
５  連結棒
６  挟持部
７  取付片
８  カバー片
９  弾性突条
１０  揺動片
１１  ゴルフボール
１２  ゴルフクラブ
１３  弾性片
１４  折り曲げ片
【図１】
0003142685.tif 000003
【図２】
0003142685.tif 000004
【図３】
0003142685.tif 000005
【図４】
0003142685.tif 000006
【図５】
0003142685.tif 000007
【図６】
0003142685.tif 000008
【図７】
0003142685.tif 000009
【図８】
0003142685.tif 000010
【図９】
0003142685.tif 000011
【図１０】
0003142685.tif 000012
【図１１】
0003142685.tif 000013
【図１２】
0003142685.tif 000014
【図１３】
0003142685.tif 000015
【図１４】
0003142685.tif 000016
【図１５】
0003142685.tif 000017
【図１６】
0003142685.tif 000018